(57)【要約】【課題】異種複数の通信回路を搭載する無線通信装置において、通信性能を損なうことなく、アンテナ数を削減する。【解決手段】第１アンテナ１と、第２アンテナ２と、第３アンテナ３と、第１の無線通信機能を有し、送信時には第１アンテナ１と接続され、受信時には第１アンテナ１を含む２つのアンテナからの信号入力を要する第１通信回路１１と、第２の無線通信機能を有し、２つのアンテナのうち一方を選択する選択ダイバーシティを実行する第２通信回路１２と、第２アンテナ２及び第３アンテナ３を択一的に第１通信回路１１の受信ポートへ接続するとともに、第２アンテナ２及び第３アンテナ３のいずれか一方を、第２通信回路１２の送信ポート及び受信ポートのいずれか一方と接続する切替回路１４と、第２通信回路１２の選択ダイバーシティに基づいて、切替回路１４による接続動作を制御する制御部１３とを備えている。【選択図】図１
2016100676.tif 000002
【特許請求の範囲】
【請求項１】
少なくとも２種類の無線通信機能を搭載する無線通信装置であって、
第１アンテナと、
第２アンテナと、
第３アンテナと、
第１の無線通信機能を有し、送信時には前記第１アンテナと接続され、受信時には前記第１アンテナを含む２つのアンテナからの信号入力を要する第１通信回路と、
第２の無線通信機能を有し、２つのアンテナのうち一方を選択する選択ダイバーシティを実行する第２通信回路と、
前記第２アンテナ及び前記第３アンテナを択一的に前記第１通信回路の受信ポートへ接続するとともに、前記第２アンテナ及び前記第３アンテナのいずれか一方を、前記第２通信回路の送信ポート及び受信ポートのいずれか一方と接続する切替回路と、
前記第２通信回路の前記選択ダイバーシティに基づいて、前記切替回路による接続動作を制御する制御部と、
を備えている無線通信装置。
【請求項２】
前記第１通信回路及び前記第１アンテナはＬＴＥ用であり、前記第２通信回路は９２０ＭＨｚ帯用であり、また、前記第２アンテナ及び前記第３アンテナは、送受信可能な周波数帯域として、ＬＴＥ用の受信周波数帯域及び９２０ＭＨｚ帯用の送受信周波数帯域を含む、請求項１に記載の無線通信装置。
【請求項３】
前記制御部は、第２通信回路に付随して設けられる請求項１又は請求項２に記載の無線通信装置。
【請求項４】
第１アンテナと、第２アンテナと、第３アンテナと、第１の無線通信機能を有し、送信時には前記第１アンテナと接続され、受信時には前記第１アンテナを含む２つのアンテナからの信号入力を要する第１通信回路と、第２の無線通信機能を有し、２つのアンテナのうち一方を選択する選択ダイバーシティを実行する第２通信回路とを備えた無線通信装置において、各アンテナと各通信回路とを接続する接続態様が可変である切替回路を駆使したアンテナ共用方法であって、
前記第２通信回路は、選択ダイバーシティに基づいて、前記第２アンテナ及び前記第３アンテナのいずれか一方を選択し、
前記第２アンテナ及び前記第３アンテナのいずれか一方を前記第１通信回路の受信ポートへ接続する、
アンテナ共用方法。
【請求項５】
前記第２通信回路が送信をするとき、前記第２アンテナ及び前記第３アンテナのうち、前記第２通信回路と接続されないアンテナを前記第１通信回路の受信ポートに接続し、
前記第２通信回路が送信をするとき以外は、前記第２アンテナ及び前記第３アンテナの一方を選択して前記第２通信回路の受信ポートに接続し、その後、選択が他方に変わっても、前記第１通信回路の受信ポートに接続されるアンテナを変更せず維持する、請求項４に記載のアンテナ共用方法。
【発明の詳細な説明】
【技術分野】
【０００１】
本発明は、無線通信装置及びそのアンテナ共用方法に関する。
【背景技術】
【０００２】
近年、一般にスマートメーターと呼ばれる通信機能付きの電力メーターが用いられるようになってきた。このようなスマートメーターは、電力会社の管理機器との通信（いわゆるＡルートの通信）と、需要家内に任意に設置することができるＨＥＭＳ（Home Energy Management System）ゲートウェイとの通信（いわゆるＢルートの通信）とを行うことができる。例えば、Ａルートの通信により、電力量の自動検針を行うことができ、Ｂルートの通信により需要家内の使用電力管理制御を行うことができる（例えば、特許文献１参照。）。
【０００３】
ここで、ＡルートとＢルートとでは、互いに異なる通信方式を採用しても構わない。Ａルート通信には例えば携帯無線であるＬＴＥ（Long Term Evolution）が使用され、Ｂルート通信には例えば９２０ＭＨｚ帯の特定小電力無線が使用される。ＬＴＥ方式は、３ＧＰＰの仕様書にて規定されるＥ−ＵＴＲＡ（ＬＴＥ）方式である。また、９２０ＭＨｚ帯特定小電力無線とは、ＡＲＩＢ  ＳＴＤ−Ｔ１０８で規定される９２０ＭＨｚ帯テレメータ用、テレコントロール用及びデータ伝送用無線設備である。
従って、スマートメーターには、２種類の通信機能を有する通信モジュール（通信基板）を搭載する必要が生じる場合がある。また、スマートメーターの他、スマートフォンや、無線ブローバンドルーター等においても同様に、ＬＴＥと９２０ＭＨｚ帯無線とを共存させる場合がある。
【０００４】
また、これまで一般に、異なった無線周波数帯を使用する複数の無線通信システムを複合した通信装置としては、共用器やアンテナスイッチ等を用いてアンテナの共用を行う技術が提案されている（例えば、特許文献２参照。）。
【先行技術文献】
【特許文献】
【０００５】
【特許文献１】特開２０１３−１７１４５３号公報
【特許文献２】特開２００４−７１６２号公報
【発明の概要】
【発明が解決しようとする課題】
【０００６】
さて、ＬＴＥにはＭＩＭＯ（Multiple-Input Multiple-Output）技術が不可欠であり、受信回路においては、複数のアンテナで受信した信号を最大比合成してＳＮ比を高めたり、アンテナごとに独立した信号を受信して伝送速度を高めたりする。そのため、ＬＴＥ通信回路には２つのアンテナが必要である。また、９２０ＭＨｚ帯無線においても、ＳＮ比改善のため選択ダイバーシティが好ましく、そのためには２つのアンテナが必要である。従って、合計４つのアンテナが必要となり、大きな配置スペースが必要となる。これは当然に、コンパクト化の要請に反し、問題となる。一方、アンテナ自体を小さくすると、アンテナの放射効率が悪くなる。また、アンテナ同士を互いに接近させると、ダイバーシティ効果が薄れる。
【０００７】
かかる課題に鑑み、本発明は、異種複数の通信回路を搭載する無線通信装置において、通信性能を損なうことなく、アンテナ数を削減することを目的とする。
【課題を解決するための手段】
【０００８】
本発明は、少なくとも２種類の無線通信機能を搭載する無線通信装置であって、第１アンテナと、第２アンテナと、第３アンテナと、第１の無線通信機能を有し、送信時には前記第１アンテナと接続され、受信時には前記第１アンテナを含む２つのアンテナからの信号入力を要する第１通信回路と、第２の無線通信機能を有し、２つのアンテナのうち一方を選択する選択ダイバーシティを実行する第２通信回路と、前記第２アンテナ及び前記第３アンテナを択一的に前記第１通信回路の受信ポートへ接続するとともに、前記第２アンテナ及び前記第３アンテナのいずれか一方を、前記第２通信回路の送信ポート及び受信ポートのいずれか一方と接続する切替回路と、前記第２通信回路の前記選択ダイバーシティに基づいて、前記切替回路による接続動作を制御する制御部と、を備えている。
【０００９】
また、本発明は、第１アンテナと、第２アンテナと、第３アンテナと、第１の無線通信機能を有し、送信時には前記第１アンテナと接続され、受信時には前記第１アンテナを含む２つのアンテナからの信号入力を要する第１通信回路と、第２の無線通信機能を有し、２つのアンテナのうち一方を選択する選択ダイバーシティを実行する第２通信回路とを備えた無線通信装置において、各アンテナと各通信回路とを接続する接続態様が可変である切替回路を駆使したアンテナ共用方法であって、前記第２通信回路は、選択ダイバーシティに基づいて、前記第２アンテナ及び前記第３アンテナのいずれか一方を選択し、第２アンテナ及び第３アンテナのいずれか一方を前記第１通信回路の受信ポートへ接続する、アンテナ共用方法である。
【発明の効果】
【００１０】
本発明によれば、異種複数の通信回路を搭載する無線通信装置において、通信性能を損なうことなく、アンテナ数を削減することができる。
【図面の簡単な説明】
【００１１】
【図１】無線通信装置の回路図である。
【図２】ＬＴＥ及び９２０ＭＨｚ帯通信が使用する周波数帯域（数値の単位は［ＭＨｚ］）と、各アンテナが送受信する周波数帯域の範囲を示す図である。
【図３】アンテナスイッチを含む切替回路の動作を説明するための第１の回路図である。
【図４】アンテナスイッチを含む切替回路の動作を説明するための第２の回路図である。
【図５】アンテナスイッチを含む切替回路の動作を説明するための第３の回路図である。
【図６】アンテナスイッチを含む切替回路の動作を説明するための第４の回路図である。
【発明を実施するための形態】
【００１２】
［実施形態の要旨］
本発明の実施形態の要旨としては、少なくとも以下のものが含まれる。
【００１３】
（１）これは、少なくとも２種類の無線通信機能を搭載する無線通信装置であって、第１アンテナと、第２アンテナと、第３アンテナと、第１の無線通信機能を有し、送信時には前記第１アンテナと接続され、受信時には前記第１アンテナを含む２つのアンテナからの信号入力を要する第１通信回路と、第２の無線通信機能を有し、２つのアンテナのうち一方を選択する選択ダイバーシティを実行する第２通信回路と、前記第２アンテナ及び前記第３アンテナを択一的に前記第１通信回路の受信ポートへ接続するとともに、前記第２アンテナ及び前記第３アンテナのいずれか一方を、前記第２通信回路の送信ポート及び受信ポートのいずれか一方と接続する切替回路と、前記第２通信回路の前記選択ダイバーシティに基づいて、前記切替回路による接続動作を制御する制御部と、を備えている。
【００１４】
上記のように構成された無線通信装置では、第２通信回路が送信／受信を行う際、選択ダイバーシティに基づいて制御部は切替回路を制御し、第２アンテナ又は第３アンテナを選択することができる。また、第２アンテナ及び第３アンテナのいずれか一方は、第１通信回路の受信ポートへ接続され、第１通信回路は、第１アンテナを含む２つのアンテナから信号入力を得ることができる。こうして、２つのアンテナからの信号入力を要する第１通信回路と、２つのアンテナのうち一方を選択する選択ダイバーシティを実行する第２通信回路とを搭載する無線通信装置でありながら、通信性能を損なうことなく、アンテナ数を削減することができる。また、アンテナ数が減ることで、コンパクトなスペース内でもアンテナ間の距離すなわちダイバーシティ効果を確保しやすくなる。
【００１５】
（２）また、（１）の無線通信装置において、前記第１通信回路及び前記第１アンテナはＬＴＥ用であり、前記第２通信回路は９２０ＭＨｚ帯用であり、また、前記第２アンテナ及び前記第３アンテナは、送受信可能な周波数帯域として、ＬＴＥ用の受信周波数帯域及び９２０ＭＨｚ帯用の送受信周波数帯域を含むものであってもよい。
この場合、第２アンテナ及び第３アンテナは、ＬＴＥ用の信号受信及び９２０ＭＨｚ帯の信号送受信に用いることができる。言い換えれば、第２アンテナ及び第３アンテナは、ＬＴＥ信号受信用に第１アンテナと共に用いることができる。すなわち、第２アンテナ及び第３アンテナは、９２０ＭＨｚ帯用のみならず、ＬＴＥ用としても用いることができ、アンテナの共用を行うことができる。
【００１６】
（３）また、（１）又は（２）の無線通信装置において、前記制御部は、第２通信回路に付随して設けられることが好ましい。
制御部は、第２通信回路の選択ダイバーシティに基づいて切替回路による接続動作を制御するので、第２通信回路と密接な関係にあり、従って、第２通信回路に付随して設けられることが好適である。
【００１７】
（４）一方、これは、第１アンテナと、第２アンテナと、第３アンテナと、第１の無線通信機能を有し、送信時には前記第１アンテナと接続され、受信時には前記第１アンテナを含む２つのアンテナからの信号入力を要する第１通信回路と、第２の無線通信機能を有し、２つのアンテナのうち一方を選択する選択ダイバーシティを実行する第２通信回路とを備えた無線通信装置において、各アンテナと各通信回路とを接続する接続態様が可変である切替回路を駆使したアンテナ共用方法であって、前記第２通信回路は、選択ダイバーシティに基づいて、前記第２アンテナ及び前記第３アンテナのいずれか一方を選択し、また、第２アンテナ及び第３アンテナのいずれか一方を前記第１通信回路の受信ポートへ接続する、アンテナ共用方法である。
【００１８】
上記のアンテナ共用方法では、２つのアンテナからの信号入力を要する第１通信回路と、２つのアンテナのうち一方を選択する選択ダイバーシティを実行する第２通信回路とを搭載する無線通信装置でありながら、第２アンテナ又は第３アンテナが２つの通信回路に併用される。従って、アンテナは４本必要ではなく、３本に削減することができる。また、アンテナ数が減ることで、コンパクトなスペース内でもアンテナ間の距離すなわちダイバーシティ効果を確保しやすくなる。
【００１９】
（５）また、（４）のアンテナ共用方法において、前記第２通信回路が送信をするとき、前記第２アンテナ及び前記第３アンテナのうち、前記第２通信回路と接続されないアンテナを前記第１通信回路に接続し、前記第２通信回路が送信をするとき以外は、前記第２アンテナ及び前記第３アンテナの一方を選択して前記第２通信回路に接続し、その後、選択が他方に変わっても、前記第１通信回路の受信ポートに接続されるアンテナを変更せず維持するようにしてもよい。
この場合、第２通信回路が送信をするときは、第１通信回路と第２通信回路とで第２アンテナ及び第３アンテナを使い分けることで、第２通信回路から第１通信回路への干渉を回避することができる。一方、第２通信回路が送信をするとき以外は、第１通信回路の受信ポートに接続されるアンテナが変更されないので、第１通信回路は、第２通信回路における第２アンテナ／第３アンテナの切り替えに伴う受信レベル変動を回避することができる。
【００２０】
［実施形態の詳細］
以下、実施形態の詳細について、図面を参照して説明する。
【００２１】
《無線通信装置の回路構成》
図１は、スマートメーター、スマートフォン、無線ブロードバンドルーター等に搭載可能な無線通信装置１００の回路図である。このような無線通信装置１００はアンテナも含めて、例えば一つの基板上にモジュール化することができる。この無線通信装置１００は、第１の無線通信機能としてＬＴＥ、及び、第２の無線通信機能として９２０ＭＨｚ帯無線（以下、ＲＦ９２０という。）を搭載している。
【００２２】
図において、第１アンテナ１、第２アンテナ２、及び、第３アンテナ３は、基板４上で互いに必要な距離をおいて、配置されている。基板４には、共用器５、２つのアンテナスイッチ６，７、３つのフィルタ８，９，１０、ＬＴＥ通信回路１１（第１通信回路）、ＲＦ９２０通信回路１２（第２通信回路）、及び、制御部１３が設けられている。２つのアンテナスイッチ６，７は、切替回路１４を構成している。また、切替回路１４を制御する制御部１３が設けられている。この制御部１３は、ＲＦ９２０通信回路１２に内蔵されるか又は付随して設けられる。
【００２３】
ＬＴＥ通信回路１１の送信ポートＴＸ及び、受信ポートＲＸ１は、共用器５を介して第１アンテナ１と接続されている。これにより、ＬＴＥ通信回路１１は、第１アンテナ１により送受信を行うことができる。また、ＬＴＥ通信回路１１の他の受信ポートＲＸ２は、フィルタ８及びアンテナスイッチ６を介して第２アンテナ２及び第３アンテナ３のいずれか一方と接続される。
【００２４】
ＲＦ９２０通信回路１２の受信ポートＲＸは、フィルタ９及びアンテナスイッチ７を介して、第２アンテナ２及び第３アンテナ３のいずれか一方と接続される。同様に、ＲＦ９２０通信回路１２の送信ポートＴＸは、フィルタ１０及びアンテナスイッチ７を介して、第２アンテナ２及び第３アンテナ３のいずれか一方と接続される。アンテナスイッチ７は、図示のようなブリッジ状に接続された４つの開閉可能接点を有している。
【００２５】
《周波数帯域の例》
第１アンテナ１は、ＬＴＥ用で、主として周波数帯域ｆ１Ｌ〜ｆ１Ｈの電波の送受信を行う。第２アンテナ２及び第３アンテナ３は、主として周波数帯域ｆ２Ｌ〜ｆ２Ｈの電波の送受信を行う。
図２は、ＬＴＥ及びＲＦ９２０が使用する周波数帯域（数値の単位は［ＭＨｚ］）と、各アンテナが送受信する周波数帯域の範囲を示す図である。ここでは、（ａ）及び（ｂ）の２例を示している。
【００２６】
まず、（ａ）の例では、ＬＴＥ送信に使用される周波数帯域は８１５〜８３０ＭＨｚ、ＬＴＥ受信に使用される周波数帯域は８６０〜８７５ＭＨｚである。ＲＦ９２０の送受信には９１５．９〜９１６．９ＭＨｚ及び９２０．５〜９２９．７ＭＨｚの周波数帯域が使用される。
（ａ）の場合、第１アンテナ１の送受信可能な周波数帯域（ｆ１Ｌ〜ｆ１Ｈ）は、８１５〜８７５ＭＨｚである。第２アンテナ２及び第３アンテナ３の送受信可能な周波数帯域（ｆ２Ｌ〜ｆ２Ｈ）は、８６０〜９２９．７ＭＨｚである。
【００２７】
また、（ｂ）の例では、ＬＴＥ送信に使用される周波数帯域は８３０〜８４５ＭＨｚ、ＬＴＥ受信に使用される周波数帯域は８７５〜８９０ＭＨｚである。ＲＦ９２０の送受信には９１５．９〜９１６．９ＭＨｚ及び９２０．５〜９２９．７ＭＨｚの周波数帯域が使用される。
（ｂ）の場合、第１アンテナ１の送受信可能な周波数帯域（ｆ１Ｌ〜ｆ１Ｈ）は、８３０〜８９０ＭＨｚである。第２アンテナ２及び第３アンテナ３の送受信可能な周波数帯域（ｆ２Ｌ〜ｆ２Ｈ）は、８７５〜９２９．７ＭＨｚである。
【００２８】
図２の（ａ）、（ｂ）において、第２アンテナ２及び第３アンテナ３は、ＲＦ９２０の周波数帯域のみならず、ＬＴＥ受信の周波数帯域をカバーしている。従って、第２アンテナ２及び第３アンテナ３を用いて、ＬＴＥ受信を行うことが可能となる。
【００２９】
《無線通信装置の動作》
図３〜図６は、アンテナスイッチ６，７を含む切替回路１４の動作を説明するための回路図である。各図は、信号経路を見やすく示すため、使用しない電路は点線で表示している。
【００３０】
まず、図３において、アンテナスイッチ６，７は、図示のような接点接続状態すなわち、アンテナスイッチ６の接続は下側で、アンテナスイッチ７については右下の接点がオン、その他はオフであるとする。この場合、第３アンテナ３は、アンテナスイッチ６を介して、ＬＴＥ通信回路１１の受信ポートＲＸ２と接続される。ＬＴＥ通信回路１１の他の受信ポートＲＸ１は、第１アンテナ１から受信可能である。また、第２アンテナ２は、アンテナスイッチ７を介して、ＲＦ９２０通信回路１２の送信ポートＴＸと接続される。
【００３１】
図３の状態において、ＲＦ９２０通信回路１２は、第２アンテナ２から送信を行うことができる。ＬＴＥ通信回路１１は、２つの受信ポートＲＸ１，ＲＸ２を用いてＬＴＥ受信を行うことができる。また、ＬＴＥ通信回路１１は、送信ポートＴＸから第１アンテナ１へ送信信号を出力することができる。
【００３２】
次に、図４において、アンテナスイッチ６，７は、図示のような接点接続状態すなわち、アンテナスイッチ６の接続は上側で、アンテナスイッチ７については左下の接点がオン、その他はオフであるとする。この場合、第２アンテナ２は、アンテナスイッチ６を介して、ＬＴＥ通信回路１１の受信ポートＲＸ２と接続される。ＬＴＥ通信回路１１の他の受信ポートＲＸ１は、第１アンテナ１から受信可能である。また、第３アンテナ３は、アンテナスイッチ７を介して、ＲＦ９２０通信回路１２の送信ポートＴＸと接続される。
【００３３】
図４の状態において、ＲＦ９２０通信回路１２は、第３アンテナ３から送信を行うことができる。ＬＴＥ通信回路１１は、２つの受信ポートＲＸ１，ＲＸ２を用いてＬＴＥ受信を行うことができる。また、ＬＴＥ通信回路１１は、送信ポートＴＸから第１アンテナ１へ送信信号を出力することができる。
【００３４】
前述のように、図３，図４のいずれの場合でも、ＬＴＥ通信回路１１は、２つのアンテナを用いたＬＴＥ受信を行うことができる。
また、制御部１３は、図３及び図４のいずれかの状態を選択することにより、ＲＦ９２０送信の選択ダイバーシティを実現することができる。
また、アンテナ共用方法として図３，図４を見た場合、ＲＦ９２０通信回路１２が送信をするとき、第２アンテナ２及び第３アンテナ３のうち、ＲＦ９２０通信回路１２と接続されないアンテナをＬＴＥ通信回路１１の受信ポートＲＸ２に接続している。これにより、ＲＦ９２０通信回路１２が送信をするときは、ＬＴＥ通信回路１１とＲＦ９２０通信回路１２とで第２アンテナ２及び第３アンテナ３を使い分けることになり、ＲＦ９２０通信回路１２からＬＴＥ通信回路１１への干渉を回避することができる。
【００３５】
次に、図５において、アンテナスイッチ６，７は、図示のような接点接続状態すなわち、アンテナスイッチ６の接続は上側で、アンテナスイッチ７については右上の接点がオン、その他はオフであるとする。この場合、第２アンテナ２は、アンテナスイッチ６を介して、ＬＴＥ通信回路１１の受信ポートＲＸ２と接続される。ＬＴＥ通信回路１１の他の受信ポートＲＸ１は、第１アンテナ１から受信可能である。また、第２アンテナ２は、アンテナスイッチ７を介して、ＲＦ９２０通信回路１２の受信ポートＲＸと接続される。
【００３６】
図５の状態において、ＲＦ９２０通信回路１２は、第２アンテナ２により受信を行うことができる。ＬＴＥ通信回路１１は、２つの受信ポートＲＸ１，ＲＸ２を用いてＬＴＥ受信を行うことができる。また、ＬＴＥ通信回路１１は、送信ポートＴＸから第１アンテナ１へ送信信号を出力することができる。
【００３７】
次に、図６において、アンテナスイッチ６，７は、図示のような接点接続状態すなわち、アンテナスイッチ６の接続は上側で、アンテナスイッチ７については左上の接点がオン、その他はオフであるとする。この場合、第２アンテナ２は、アンテナスイッチ６を介して、ＬＴＥ通信回路１１の受信ポートＲＸ２と接続される。ＬＴＥ通信回路１１の他の受信ポートＲＸ１は、第１アンテナ１から受信可能である。また、第３アンテナ３は、アンテナスイッチ７を介して、ＲＦ９２０通信回路１２の受信ポートＲＸと接続される。
【００３８】
図６の状態において、ＲＦ９２０通信回路１２は、第３アンテナ３により受信を行うことができる。ＬＴＥ通信回路１１は、２つの受信ポートＲＸ１，ＲＸ２を用いてＬＴＥ受信を行うことができる。また、ＬＴＥ通信回路１１は、送信ポートＴＸから第１アンテナ１へ送信信号を出力することができる。
【００３９】
前述のように、図５，図６のいずれの場合でも、ＬＴＥ通信回路１１は、２つのアンテナを用いたＬＴＥ受信を行うことができる。
また、制御部１３は、図５及び図６のいずれかの状態を選択することにより、ＲＦ９２０受信の選択ダイバーシティを実現することができる。
【００４０】
なお、図５において、アンテナスイッチ６の接続を下側にすれば、第３アンテナ３をＬＴＥ通信回路１１の受信ポートＲＸ２と接続することもできる。しかし、そうせずに図５のように接続することには以下の意義がある。
すなわち、図５，図６は、ＲＦ９２０通信回路１２が送信をするとき以外（受信時又は送信しないとき）の状態を表している。ここで、図６の状態から図５の状態へ又はその逆への変遷を考えた場合、制御部１２は、第２アンテナ２及び第３アンテナ３の一方を選択してＲＦ９２０通信回路１２の受信ポートＲＸに接続し、その後、選択が他方に変わっても、ＬＴＥ通信回路１１の受信ポートＲＸ２に接続されるアンテナ（この例では第２アンテナ２）を変更せず維持している。
この場合、ＬＴＥ通信回路１１の受信ポートＲＸ２に接続されるアンテナが変更されないので、ＬＴＥ通信回路１１は、ＲＦ９２０通信回路１２による第２アンテナ２／第３アンテナ３の切り替えに伴う受信レベル変動を回避することができる。
【００４１】
《まとめ》
上記のように構成された無線通信装置１００では、ＲＦ９２０通信回路１２が送信／受信を行う際、選択ダイバーシティに基づいて制御部１３は切替回路１４を制御し、第２アンテナ２又は第３アンテナ３を選択することができる。また、第２アンテナ及び第３アンテナのいずれか一方は、ＬＴＥ通信回路１１の受信ポートＲＸ２へ接続され、ＬＴＥ通信回路１１は、第１アンテナ１を含む２つのアンテナから信号入力を得ることができる。こうして、２つのアンテナからの信号入力を要するＬＴＥ通信回路１１と、２つのアンテナのうち一方を選択する選択ダイバーシティを実行するＲＦ９２０通信回路１２とを搭載する無線通信装置１００でありながら、通信性能を損なうことなく、アンテナ数を４から３に削減することができる。また、アンテナ数が減ることで、コンパクトなスペース内でもアンテナ間の距離すなわちダイバーシティ効果を確保しやすくなる。
【００４２】
また、第２アンテナ２及び第３アンテナ３は、ＬＴＥ用の信号受信及びＲＦ９２０の信号送受信に用いることができる。言い換えれば、第２アンテナ２及び第３アンテナ３は、ＬＴＥ信号受信用に第１アンテナ１と共に用いることができる。すなわち、第２アンテナ２及び第３アンテナ３は、ＲＦ９２０用のみならず、ＬＴＥ用としても用いることができ、アンテナの共用を行うことができる。
【００４３】
なお、制御部１３は、ＲＦ９２０通信回路１２に付随して設けられる（内蔵されることも含む。）。制御部１３は、ＲＦ９２０通信回路１２の選択ダイバーシティに基づいて切替回路１４による接続動作を制御するので、ＲＦ９２０通信回路１２と密接な関係にあり、従って、ＲＦ９２０通信回路１２に付随して設けられる構成とすることが好ましい。
【００４４】
また、ＲＦ９２０通信回路１２が送信をするとき、第２アンテナ２及び第３アンテナ３のうち、ＲＦ９２０通信回路１２と接続されないアンテナをＬＴＥ通信回路１１に接続することにより、ＲＦ９２０通信回路１２が送信をするときは、ＬＴＥ通信回路１１とＲＦ９２０通信回路１２とで第２アンテナ２及び第３アンテナ３を使い分けることになり、ＲＦ９２０通信回路１２からＬＴＥ通信回路１１への干渉を回避することができる。
一方、ＲＦ９２０通信回路１２が送信をするとき以外は、第２アンテナ２及び第３アンテナ３の一方を選択してＲＦ９２０通信回路１２に接続し、その後、選択が他方に変わっても、ＬＴＥ通信回路１１の受信ポートＲＸ２に接続されるアンテナを変更せず維持することで、ＬＴＥ通信回路１１は、ＲＦ９２０通信回路１２による第２アンテナ２／第３アンテナ３の切り替えに伴う受信レベル変動を回避することができる。
【００４５】
《その他の構成》
なお、上記実施形態における無線通信装置１００は、２種類の無線通信機能を搭載するものであるが、３種類以上の無線通信機能を搭載した場合でも、同様な回路構成により、少なくとも２種類についてアンテナ数を削減することができる。これにより、異種複数の通信回路を搭載する無線通信装置において、通信性能を損なうことなく、アンテナ数を削減することができる。
【００４６】
《補記》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００４７】
１  第１アンテナ
２  第２アンテナ
３  第３アンテナ
４  基板
５  共用器
６，７  アンテナスイッチ
８，９，１０  フィルタ
１１  ＬＴＥ通信回路
１２  ＲＦ９２０通信回路
１３  制御部
１４  切替回路
１００  無線通信装置
ＴＸ  送信ポート
ＲＸ，ＲＸ１，ＲＸ２  受信ポート
【図１】
2016100676.tif 000003
【図２】
2016100676.tif 000004
【図３】
2016100676.tif 000005
【図４】
2016100676.tif 000006
【図５】
2016100676.tif 000007
【図６】
2016100676.tif 000008